(57)【要約】【課題】画面上の枠、文字、又は背景における輝度又は色度を容易に調整することを目的とする。【解決手段】表示装置により提示される画面表示情報を、ユーザから入力される表示設定情報により変換して提示する提示装置において、前記画面表示情報における文字、色度、又は輝度を調整するための調整操作部と、前記調整操作部により入力された情報に基づいて前記表示設定情報を抽出する入力情報抽出部と、前記入力情報抽出部により得られる表示設定情報に基づいて前記画面表示情報に含まれる文字情報、色度情報、又は輝度情報を変換する表示情報変換部とを有することにより、上記課題を解決する。【選択図】        図１
2004333689.tif 000002
【特許請求の範囲】
【請求項１】
表示装置により提示される画面表示情報を、ユーザから入力される表示設定情報により変換して提示する提示装置において、
前記画面表示情報における文字、色度、又は輝度を調整するための調整操作部と、
前記調整操作部により入力された情報に基づいて前記表示設定情報を抽出する入力情報抽出部と、
前記入力情報抽出部により得られる表示設定情報に基づいて前記画面表示情報に含まれる文字情報、色度情報、又は輝度情報を変換する表示情報変換部とを有することを特徴とする提示装置。
【請求項２】
前記画面表示情報は、マークアップ言語により記述され、前記表示情報変換部は、前記マークアップ言語のタグ情報から前記文字情報、前記色度情報、又は前記輝度情報を抽出して変換することを特徴とする請求項１に記載の提示装置。
【請求項３】
前記入力情報抽出部は、
前記文字情報又は前記色度情報と、前記文字情報、前記色度情報、又は前記輝度情報とが対応付けられた参照テーブルを有することを特徴とする請求項１又は２に記載の提示装置。
【請求項４】
前記調整操作部は、可変抵抗器、又はロータリーエンコーダから構成され、
前記入力情報抽出部は、前記ユーザから操作された可変抵抗器の設定位置、又はロータリーエンコーダの設定位置に対応させて前記参照テーブルにより前記文字情報、前記色度情報、又は前記輝度情報を抽出することを特徴とする請求項３に記載の提示装置。
【請求項５】
前記画面表示情報は、前記表示装置に提示させるためのデータテーブルを有し、前記表示情報変換部は、前記データテーブルの項目情報から前記文字情報、前記色度情報、又は前記輝度情報を抽出して変換することを特徴とする請求項１に記載の提示装置。
【請求項６】
前記表示情報変換部は、
前記画面表示情報に含まれる文字、選択項目枠、又は背景における色度情報、又は輝度情報と、
前記文字の字体、又は文字サイズとを変換することを特徴とする請求項１又は５の何れか１項に記載の提示装置。
【請求項７】
表示装置により提示される画面表示情報を、ユーザから入力される表示設定情報により変換して提示する提示方法において、
前記画面表示情報における文字、色度、又は輝度を調整するための調整操作段階と、
前記調整操作段階により入力された情報に基づいて前記表示設定情報を抽出する入力情報抽出段階と、
前記入力情報抽出段階により得られる表示設定情報に基づいて前記画面表示情報に含まれる文字情報、色度情報、又は輝度情報を変換する表示情報変換段階とを有することを特徴とする提示方法。
【発明の詳細な説明】
【０００１】
【発明の属する技術分野】
本発明は、提示装置及び提示方法に係り、特に、データ放送やＷｅｂ等の多様な情報リソースに対応し、ユーザが所望する画面の提示を実現するための提示装置及び提示方法に関する。
【０００２】
【従来の技術】
従来、パソコンのモニタ等の表示装置に提示されるインターネットのＷｅｂ画像や、各種アプリケーションで表示されるＧＵＩ（Ｇｒａｐｈｉｃａｌ  Ｕｓｅｒ  Ｉｎｔｅｒｆａｃｅ）画面に対して、弱視者等の視覚障害者に見やすく表示するために、文字拡大や反転表示等の処理を行い処理後の画面を提示している。
【０００３】
この方式には、画面全体や画面中の特定の領域を指定し、領域の画像データを抽出して拡大したり、画面中の文字のある領域に対して文字色と背景色とを反転させて表示したり、文字のある部分を指定して文字と背景色とを反転させて表示することが可能な「ズームテキスト（登録商標）」等が製品化されている。
【０００４】
一方、ＨＴＭＬ等で使用されるマークアップ言語で記述されているＧＵＩ画面表示においては、夫々の文字の内容を表示する属性を指定し、表示ブラウザに従って作成者の意図に応じて画面表示できるのは周知の通りである。
【０００５】
このようなＧＵＩ画面を視覚障害者に伝える手段として、弱視者の個々の視覚特性に対応して見やすい表示にすることを目的した技術がある（例えば、非特許文献１参照。）。
【０００６】
非特許文献１は、ＨＴＭＬ文書を表示中に表示環境を調整する必要がある場合に環境設定部を呼び出し、文字サイズや文字間隔、行間隔、配色等の属性をキー操作により変更し、見やすい画面に設定する方法である。なお、文字の反転表示には、白文字・黒背景と黒文字・白背景用の二つのＣＳＳ（ＣａｓｃａｄｉｎｇＳｔｙｌｅ  Ｓｈｅｅｔｓ）ファイルを有し、文字色を参照して何れかを呼び出している。
【０００７】
【非特許文献１】
弱視者の使いやすいＨＴＭＬ文書表示ツールの試作（氏間：第２５回感覚代行シンポジウム１９９９）
【０００８】
【発明が解決しようとする課題】
しかしながら、弱視者では視力の程度や見え方の特性が多岐にわたることや、障害の進み方等による個人差等から、個々のユーザが最適な環境でデータ放送やＷｅｂ等の画面を表示することができる必要がある。一方で、多様化する情報社会では、多種のアプリケーション及びＨＴＭＬやＸＭＬ（ｅＸｔｅｎｓｉｂｌｅＭａｒｋｕｐ  Ｌａｎｇｕａｇｅ）等、マークアップ言語で記述されたＧＵＩ画面を複数の出力装置に情報を提示する必要性が高まってきている。
【０００９】
このような背景の中で、従来の技術のようにＧＵＩを弱視者が見やすい画面に表示する手段として拡大、反転表示等を個々のユーザに最適となる多様な提示方法に対応することが必要である。
【００１０】
しかしながら、従来の方法である画面全体や画面の一部分を抽出して拡大する方法は、汎用性があるがＧＵＩで項目を選択する際のオブジェクト毎の拡大や反転表示には適応しない問題がある。
【００１１】
一方、ＨＴＭＬのようにマークアップ言語で記述された画面表示の場合にはオブジェクト毎の拡大や反転等が可能であるが、この方法では文字サイズや文字間隔、行間隔、配色等の属性を画面上に表示し、キーボード操作で設定値を変更する方式であるため、テレビのような広いユーザ層が容易に操作することは困難であるという問題がある。
【００１２】
本発明は、上述した問題点に鑑みなされたものであり、簡単な操作により選択項目や図等のオブジェクト及び選択項目枠や背景の色や輝度を、見やすい条件に設定することができ、ユーザ各自の最適な画面表示を得ることができる提示装置及び提示装置を提供することを目的とする。
【００１３】
【課題を解決するための手段】
上記課題を解決するために、本件発明は、以下の特徴を有する課題を解決するための手段を採用している。
【００１４】
請求項１に記載された発明は、表示装置により提示される画面表示情報を、ユーザから入力される表示設定情報により変換して提示する提示装置において、前記画面表示情報における文字、色度、又は輝度を調整するための調整操作部と、前記調整操作部により入力された情報に基づいて前記表示設定情報を抽出する入力情報抽出部と、前記入力情報抽出部により得られる表示設定情報に基づいて前記画面表示情報に含まれる文字情報、色度情報、又は輝度情報を変換する表示情報変換部とを有することを特徴とする。
【００１５】
請求項１記載の発明によれば、調整操作部における操作により得られる表示設定情報により文字情報、色度情報、輝度情報を容易に変更させることができる。これにより、画面表示内容を容易に変更することができ、ユーザが所望した画面を提示させることができる。
【００１６】
請求項２に記載された発明は、前記画面表示情報は、マークアップ言語により記述され、前記表示情報変換部は、前記マークアップ言語のタグ情報から前記文字情報、前記色度情報、又は前記輝度情報を抽出して変換することを特徴とする。
【００１７】
請求項２記載の発明によれば、マークアップ言語におけるタグ情報を利用することで容易に前記文字情報、前記色度情報、及び前記輝度情報を抽出することができ、効率的に変換を行うことができる。
【００１８】
請求項３に記載された発明は、前記入力情報抽出部は、前記文字情報又は前記色度情報と、前記文字情報、前記色度情報、又は前記輝度情報とが対応付けられた参照テーブルを有することを特徴とする。
【００１９】
請求項３記載の発明によれば、抽出された値の内容を参照テーブルにより容易に把握することができる。これにより、効率的な変更処理も実現できる。
【００２０】
請求項４に記載された発明は、前記調整操作部は、可変抵抗器、又はロータリーエンコーダから構成され、前記入力情報抽出部は、前記ユーザから操作された可変抵抗器の設定位置、又はロータリーエンコーダの設定位置に対応させて前記参照テーブルにより前記文字情報、前記色度情報、又は前記輝度情報を抽出することを特徴とする。
【００２１】
請求項４記載の発明によれば、可変抵抗器、又はロータリーエンコーダを用いて前記文字情報、前記色度情報、及び前記輝度情報の変更を容易に行うことができる。特に、弱視者等である場合やコンピュータに関する知識に乏しい場合は、設定画面等を参照して前記文字情報、前記色度情報、及び前記輝度情報を変更させる作業に負担がかかってしまうが、可変抵抗器又はロータリーエンコーダによる調整操作部を有することにより、手動作で容易に設定することができ、使用性を向上させることができる。
【００２２】
請求項５に記載された発明は、前記画面表示情報は、前記表示装置に提示させるためのデータテーブルを有し、前記表示情報変換部は、前記データテーブルの項目情報から前記文字情報、前記色度情報、又は前記輝度情報を抽出して変換することを特徴とする。
【００２３】
請求項５記載の発明によれば、前記表示装置に表示画面を出力させるためのデータテーブルの内容を直接変換することで、効率的に画面表示情報を変換することができる。
【００２４】
請求項６に記載された発明は、前記表示情報変換部は、前記画面表示情報に含まれる文字、選択項目枠、又は背景における色度情報、又は輝度情報と、前記文字の字体、又は文字サイズとを変換することを特徴とする。
【００２５】
請求項６記載の発明によれば、文字や選択項目枠や背景の夫々の輝度や色度を詳細な調整を容易にすることができる。また、文字の字体や文字サイズについても調整することができるため、より詳細な設定を行うことができ、ユーザが所望した表示画面の提示を実現することができる。
【００２６】
請求項７に記載された発明は、表示装置により提示される画面表示情報を、ユーザから入力される表示設定情報により変換して提示する提示方法において、前記画面表示情報における文字、色度、又は輝度を調整するための調整操作段階と、前記調整操作段階により入力された情報に基づいて前記表示設定情報を抽出する入力情報抽出段階と、前記入力情報抽出段階により得られる表示設定情報に基づいて前記画面表示情報に含まれる文字情報、色度情報、又は輝度情報を変換する表示情報変換段階とを有することを特徴とする。
【００２７】
請求項７記載の発明によれば、調整操作段階における操作により得られる表示設定情報により文字情報、色度情報、輝度情報を容易に変更させることができる。これにより、画面表示内容を容易に変更することができ、ユーザが所望した画面を提示させることができる。
【００２８】
【発明の実施の形態】
本発明は、視覚的な見え方や視野の制限により、情報受容の方法が異なるため、多様な提示形態が必要な弱視者等の視覚障害者に表示画面情報を提示する方式において、輝度やコントラスト、色相等を個人に適応して調整し、最適な画面で画面情報の提示を行う。つまり、データ放送やＷｅｂ等のマークアップ言語の形式で表記される表示形式において、情報アクセスに必要な選択できるオブジェクト（以下、選択オブジェクト）の表示枠や文字及び背景の輝度や色度に夫々対応したボリューム等の操作部により値を可変してユーザが所望する表示に調整する。
【００２９】
更に詳細に説明すれば、調整操作部には表示枠や文字及び背景の夫々の輝度や色度を調整するための可変抵抗器やロータリーエンコーダ等を有し、可変抵抗器の回転により設定される値やロータリーエンコーダの値に対応付けられて輝度や色度が決定されるルックアップテーブルを有し、表示枠や文字及び背景の輝度や色度を最適な見やすい表示に調整することで、効率的で容易に提示することを可能にする。
【００３０】
次に、本発明における実施の形態について図を用いて説明する。
【００３１】
（第１の実施の形態）
図１は、本発明における提示装置の第１の実施の形態の一構成例を示す図である。図１の提示装置１０は、色度調整操作部１１と、色度エンコード部１２と、色度データ抽出部１３と、輝度調整操作部１４と、輝度エンコード部１５と、輝度データ抽出部１６と、色度・輝度データ変換部１７と、画面表示部１８とを有するよう構成されている。
【００３２】
色度調整操作部１１は、色度を調整する可変抵抗器やロータリーエンコーダ等の使用者が手動により調整することができるような構成を有し、色度エンコード部１２により色度調整操作部１１の回転により設定された位置やロータリエンコードにおいて設定された設定位置等の情報を抽出する。色度データ抽出部１３は、色度エンコード部１２で抽出された数値に基づいて、表示画面を表現する３原色（Ｒ，Ｇ，Ｂ）のデータに変換する。
【００３３】
同様に、輝度調整操作部１４は、輝度を調整する可変抵抗器やロータリーエンコーダ等から構成され、輝度エンコード部１５により輝度調整操作部１４の回転により設定された位置やロータリエンコード等の情報を抽出する。輝度データ抽出部１６は、輝度エンコード部１５で抽出された数値に基づいて輝度レベルを設定する。
【００３４】
次に、色度・輝度データ変換部１７は、色度情報に対する輝度レベルを設定し、設定された表示設定情報に基づいて、画面表示情報を変換し画面表示部１８へ出力し、画面表示部１８は設定された画面表示情報により画面表示を行う。
【００３５】
ここで、具体的な例について図を用いて説明する。図２は、画面表示部に表示される提示画面の一例を示すである。ユーザは、図２の提示画面２０に任意に指定される領域Ａの色度と輝度を変化させる場合、色度調整操作部１１及び輝度調整操作部１４における可変抵抗器やロータリーエンコーダのボリュームつまみを回転する。
【００３６】
回転により得られる設定位置に応じた電圧値あるいはデジタルデータは、色度エンコード部１２及び輝度エンコード部１５により設定値を抽出することができる。
【００３７】
次に、色度の設定データは色度データ抽出部１３において、ルックアップテーブルで対応されるＲＧＢの値を抽出する。ここで、色度・輝度用のルックアップテーブルについて図を用いて説明する。図３は、本発明における色度・輝度用のルックアップテーブルの一例を示す図である。図３のルックアップテーブルは、番号「Ｎｏ」毎にＲ，Ｇ，Ｂのうちの少なくとも１つが異なる値を対応付けられており、αは輝度レベルを示している。
【００３８】
例えば、「Ｎｏ」値を色度エンコード部１２により得られる設定値に対応することで、その設定値に対応したＲＧＢの値を容易に取得することができる。また、輝度データは、輝度データ抽出部１６において、例えば、レベルを４ビットに対応させた場合、ビットの最大値に対して０〜１に基づき正規化された１６レベルの値αを抽出する。つまり、４ビットにより１６通りのビットパターンを有し、１ビットの値は、１／１６＝０．０６２５と算出される。ここで、４ビットで表現された輝度設定値が９であったとすると、輝度レベルαの値は、０．０６２５×９＝０．５６２５となる。
【００３９】
このようにして得られた色度データ及び輝度データは色度・輝度データ変換部１７において、例えばＲＧＢの夫々の値を有する色度データの値と輝度データαの値との積を求め、画面表示部１８に出力する画面表示情報を作成する。
【００４０】
上述したように、ユーザは調整操作部におけるボリュームのつまみを回転する簡単な操作で色度や輝度レベルを容易に変換することができる。
【００４１】
（第２の実施の形態）
次に、第２の実施の形態について説明する。第２の実施の形態は、上述した第１の実施の形態において、画面を表示する情報がマークアップ言語で記述されている場合の提示方法を示す例である。
【００４２】
図４は、本発明における第２の実施の形態の一構成例を示す例である。図４の提示装置４０は、色度調整操作部４１と、色度エンコード部４２と、色度データ抽出部４３と、輝度調整操作部４４と、輝度エンコード部４５と、輝度データ抽出部４６と、色度・輝度データ変換部４７と、画面表示部４８と、マークアップ言語表示出力データ作成部４９と、ブラウザ表示データ作成部５０とを有するよう構成されている。
【００４３】
色度調整操作部４１は、色度を調整する可変抵抗器等により構成され、色度エンコード部４２により色度調整操作部４１におけるボリュームの回転により設定された位置やロータリエンコード等の情報を抽出する。色度データ抽出部４３は、色度エンコード部４２で抽出された数値に基づいて、表示画面を表現する３原色ＲＧＢのデータに変換する。
【００４４】
同様に、輝度調整操作部４４は、輝度を調整する可変抵抗器等から構成され、輝度エンコード部４５により輝度調整操作部４４におけるボリュームの回転により設定された位置やロータリエンコード等の情報を抽出する。輝度データ抽出部４６は、輝度エンコード部４５で抽出された数値に基づいて輝度レベルを設定する。
【００４５】
次に、色度・輝度データ変換部４７は、色度情報に対して輝度レベルを設定してブラウザ表示データ作成部５０に出力する。マークアップ言語表示出力データ作成部４９は、画面表示を行う際にマークアップ記述言語による表示出力のフォーマット等を記述するマークアップ言語を用いて表示出力可能な文書を作成し、ＨＴＭＬやＸＭＬ等で記述される。また、ブラウザ表示データ作成部５０は、マークアップ言語表示出力データ作成部４９から入力したＸＭＬ文書に対して、色度・輝度データ変換部４７から入力された情報に基づいて、例えば画面上の選択項目を表示する枠の色度や輝度を設定するタグ及びその属性データ等の変換を行う。
【００４６】
また、ブラウザ表示データ作成部５０は、画面表示部４８にて提示される画面表示情報を作成して画面表示部４８に出力する。画面表示部４８は、ブラウザ表示データ作成部５０により作成された画面表示情報に基づいて表示画面の提示を行う。これにより、マークアップ言語に対応して効率的で容易に画面設定の変更を行うことができる。
【００４７】
ここで、上述の内容に基づく、具体的な表示例について図を用いて説明する。図５は、マークアップ言語で記述された提示画面の一例を示す図である。ここで、図５は、データ放送におけるメニュー画面を示しており、表示画面５１は、映像表示領域５２と、選択項目領域５３と、決定ボタン５４と、戻りボタン５５と、背景領域５６とを有するよう構成されている。また、選択項目領域５３−１は「ニュース選択ボタン」、選択項目領域５３−２は「気象情報選択ボタン」、選択項目領域５３−３は「福祉情報選択ボタン」、選択項目領域５３−４は「スポーツ選択ボタン」、選択項目領域５３−５は「海外情報選択ボタン」を示し、この何れかの項目を選択して決定ボタン５４にて決定することで、選択された画面、映像を表示することができる。また、戻りボタン５５は、前画面又はメニュー画面等に戻るためのボタンである。
【００４８】
ここで、選択項目領域５３の各選択項目枠の色度を表すタグとその属性を＜色：Ｒ，Ｇ，Ｂ＞とし、輝度を表すタグとその属性を＜輝度：α＞とする。
【００４９】
上述したように、ユーザがボリュームのつまみを回転させることにより、色度データ及び輝度データを設定することができる。これらのデータは、予め記述されたＸＭＬ等の属性データに変換する。したがって、画面表示部４８では、ＸＭＬに記述された内容により提示内容が制御されるため、ユーザの操作に対応して選択項目枠等の色度や輝度を変更することが可能となる。つまり、選択項目領域５３の色度や輝度を背景領域５６と比べて、形や色彩、明度が互いに際立ち合う状態になるようコントラスト等を調整することにより、より見やすい表示画面を実現することができる。
【００５０】
また、上述では色度データのタグに属性データを有していたが、本発明においてはこの限りではなく、例えば、ＲＧＢの値に対応する色を「赤」や「青」のように別に色を指定するＸＭＬファイルやＸＭＬのデータを有し、調整操作部からの抽出したデータに対応した内容に変換させることも可能である。
【００５１】
（第３の実施の形態）
次に、画像情報として、例えばデータ放送のメニュー画面における選択項目の文字、選択項目枠、背景の色度、及び輝度を調整して提示する提示装置について説明する。なお、文字の調整については、色度及び輝度の調整の他にも字体又は文字サイズを変更することにより、より詳細に提示内容を設定できるため、特に弱視者等にも適用でき、効率的で容易に画面表示情報を変更することができる提示装置を提供する。ここで、第３の実施の形態について図を用いて説明する。
【００５２】
図６は、本発明における第３の実施の形態の一構成例を示す図である。図６の提示装置６０は、提示内容における文字部分、選択項目枠部分、及び背景部分に対応した構成を有し、字体調整操作部６１と、字体エンコード部６２と、字体抽出部６３と、文字サイズ調整操作部６４と、文字サイズエンコード部６５と、文字サイズデータ抽出部６６と、文字データ変換部６７と、色度調整操作部７１と、色度エンコード部７２と、色度データ抽出部７３と、輝度調整操作部７４と、輝度エンコード部７５と、輝度データ抽出部７６と、色度・輝度データ変換部７７と、文字抽出部７８と、文字表示データ変換部７９と、文字枠抽出部８０と、選択項目枠表示データ変換部８１と、背景抽出部８２と、背景表示データ変換部８３と、画面表示部８４とを有するよう構成されている。
【００５３】
ここで、図６に示す主要構成部７１〜７７の構成は第１の実施の形態に示す内容と同一である。また、主要構成部７１〜７７の夫々の添字は、ａが文字表示、ｂが選択項目枠の表示、ｃが背景の表示内容に対応して設定されている。
【００５４】
また、字体調整操作部６１は、字体を調整する可変抵抗器等により構成され、字体エンコード部６２により字体調整操作部６１におけるボリュームの回転により設定された位置やロータリエンコード等の情報を抽出する。字体データ抽出部６３は、字体エンコード部６２で抽出された設定値から、字体用のルックアップテーブルを用いて、設定値に対応した字体の抽出を行う。
【００５５】
一方、文字サイズ調整操作部６４は、文字サイズを調整する可変抵抗器等により構成され、文字サイズエンコード部６５により文字サイズ調整操作部６４におけるボリュームの回転により設定された位置やロータリエンコード等の情報を抽出する。文字サイズ抽出部６６は、文字サイズエンコード部６５で抽出された設定値から、文字サイズ用のルックアップテーブルを用いて、設定値に対応した文字サイズデータを取得する。なお、文字サイズ用ルックアップテーブルを使用せずに文字サイズエンコード部６５で取得された設定値をそのままフォントサイズとして変換することもできる。
【００５６】
ここで、字体用のルックアップテーブルについて図を用いて説明する。図７は、本発明における字体用のルックアップテーブルの一例を示す図である。図７では、「Ｎｏ」値に対応したフォント情報がテーブルに蓄積されている。この「Ｎｏ」値を字体エンコード部６２により得られる設定値と対応付けすることで、その設定値に対応した字体情報を容易に取得することができる。例えば、設定値が「５」であれば、「明朝」が字体情報として設定されることになる。このルックアップテーブルを使用することにより、効率的に字体を設定することができる。
【００５７】
文字データ変換部６７は、字体データ抽出部６３により得られる字体情報及び文字サイズデータ抽出部６６により得られる文字サイズから文字データを作成し、文字表示データ変換部７９へ出力する。
【００５８】
また、色度・輝度データ変換部７７ａは、上述した第１の実施の形態に示すような手順により文字部分における色度・輝度でデータを文字表示データ変換部７９に出力する。
【００５９】
文字表示データ変換部７９は、上述の第２の実施の形態で述べたマークアップ言語表示出力データ作成部４９と同様に表示出力可能な文書を作成し、文字抽出部７８によりデータを置換するために、文字を表示するためのタグを抽出して、抽出された文字を表示するためのタグとその属性データについて、記述データを変換して、画面表示部８４へ出力する。これにより、画面表示部８４は、文字及び文字色が調整された画像を提示することができる。
【００６０】
同様に、色度・輝度データ変換部７７ｂは、選択項目枠部分における色度・輝度でデータを選択項目枠データ変換部８１に出力する。
【００６１】
選択項目枠表示データ変換部８１は、マークアップ言語表示出力データ作成部４９と同様に表示出力可能な文書を作成し、選択項目枠抽出部８０によりデータを置換するために選択項目枠を表示するタグを抽出して、抽出された選択項目枠を表示するためのタグとその属性データについて、記述データを変換して、画面表示部８４へ出力する。これにより、画面表示部８４は、画面中の選択項目枠内の色度及び輝度を調整することができ、調整された画像を提示することができる。
【００６２】
更に、色度・輝度データ変換部７７ｃは、提示画面の背景部分における色度・輝度でデータを背景表示データ変換部８３に出力する。
【００６３】
背景表示データ変換部８３は、マークアップ言語表示出力データ作成部４９と同様に表示出力可能な文書を作成し、背景抽出部８２によりデータを置換するために背景を表示するタグを抽出して、抽出された背景を表示するためのタグとその属性データについて、記述データを変換して、画面表示部８４へ出力する。これにより、画面表示部８４は、画面中の背景の色度及び輝度を調整することができ、調整された画像を提示することができる。
【００６４】
ここで、第３の実施の形態に基づく、処理手順の概要についてフローチャートを用いて説明する。図８は、本発明における提示処理手順の一例のフローチャートを示す図である。
【００６５】
まず、図６に示す各調整操作部により文字、選択項目枠、背景の色度や輝度を変更するボリューム等のつまみを回転することにより設定された位置に応じた電圧値あるいはデジタルデータが取り込まれる。字体調整操作部６１又は文字サイズ調整操作部６４からの情報であれば、文字情報として設定値を取り込み（Ｓ０１）、色度調整操作部７１からの情報であれば色情報として設定値を取り込み（Ｓ０２）、輝度調整操作部７４からの情報であれば、レベル情報として設定値を取り込む（Ｓ０３）。Ｓ０３では、例えばレベルを４ビットで表した場合、最大値に対し正規化した１６レベルの値αを抽出することができる。
【００６６】
次に、取り込まれた文字情報は、字体データ抽出部６３、文字サイズ作成データ抽出部６６に夫々のルックアップテーブルを参照し（Ｓ０４）、ボリュームの設定値に対応した文字情報を取得する（Ｓ０５）。また、Ｓ０２にて得られる色情報の設定値に基づいて色度データ抽出部７３にあるルックアップテーブルを参照し（Ｓ０６）、例えば、上述の図３に示したルックアップテーブルを用いた場合は、色度設定のボリュームで得られた「Ｎｏ」値と対応するＲＧＢの値をＲＧＢ情報として抽出する（Ｓ０７）。
【００６７】
Ｓ０７では、予め設定されたルックアップテーブルのレベルに対応した値を取得することができる。例えば、色度８ビットで表現される場合には２５６種類の値を取得する。
【００６８】
Ｓ０７にて抽出されたＲＧＢ情報におけるＲ，Ｇ，Ｂの夫々の情報に対してＳ０３にて得られたレベル情報に基づいてαの値の積を求め、色度・輝度レベルの重み付けを行う（Ｓ０８）。また、入力される各調整操作部に対応して提示する画面中における背景色情報（Ｓ０９）、選択項目枠色情報（Ｓ１０）、文字色情報（Ｓ１１）に振り分けられる。
【００６９】
次に、Ｓ０５の文字情報、Ｓ０９の背景色情報、Ｓ１０の選択項目枠色情報、又はＳ１１の文字色情報の何れか１つ以上の表示設定の変更情報に基づいて、提示されるデータ変換を行う（Ｓ１２）。
【００７０】
データ変換については、ＸＭＬ等のマークアップ言語で記述された表示出力データの各情報に対応するタグ情報に記載の内容を変換することにより行う。また、ＸＭＬの記述内容をタグ等の情報に基づいて変換する他に、ＸＭＬの記述内容から画面表示部により提示される表示画面を生成される画面表示情報の出力データテーブルに対して対応する項目を変換させることもできる。変換されたデータは、画面表示部８４により表示される（Ｓ１３）。
【００７１】
ここで、Ｓ１２における変換内容について図を用いて具体的に説明する。
【００７２】
図９は、設定内容に対するデータ変換の様子を示す一例の図である。ここで、図９（ａ）は、色度対応のルックアップテーブルを示し、図９（ｂ）は、ＸＭＬ言語の記述内容を示し、図９（ｃ）は、図９（ｂ）のＸＭＬ記述内容から得られる画面表示情報の表示設定条件等を示した出力データテーブルを示している。
【００７３】
例えば、色度調整操作部７１ｃにより「２」が設定された場合、ルックアップテーブルの「Ｎｏ」値により２に対応するＲＧＢ（０，０，２５５）が抽出され、その抽出されたデータをＸＭＬ文書中の該当部分（＜背景色＞）の値を変換する。その後、図９（ｃ）に示す出力データテーブルが生成され、画面表示部にてユーザが設定した条件に基づく画像情報を提示させることができる。
【００７４】
なお、図９（ａ）にて得られる値を図９（ｃ）に示す出力データテーブルの該当する項目（背景色）に対応付けて値を変換することでも、画面表示部にてユーザが設定した表示設定条件に基づく表示画面を提示させることができる。
【００７５】
上述したように、本発明により選択項目枠や文字及び背景の夫々の輝度や色度を調整するための可変抵抗器やロータリーエンコーダ等を有し、可変抵抗器の回転により設定された位置やロータリーエンコーダの設定された値に応じて輝度や色度が決定されるルックアップテーブルを有し、色度は輝度情報で重み付けを行い、得られた色度・輝度情報に適応したＸＭＬ等のマークアップ言語の属性データを変換することにより、画面上の選択項目枠や文字、背景における輝度又は色度を最適な見やすい表示に調整して提示することができる。
【００７６】
また、ＧＵＩで表示される選択オブジェクトや背景の色度や輝度が、容易な操作でユーザ個人に適応した最良な条件の設定で表示が可能となる。
【００７７】
また、本発明では、調整操作部による操作内容が変更された時点で、上述したように画面の提示が行われるため、操作による設定結果が即座に表示画面に提示されるため、設定を容易にし最良な条件での表示を実現できる。
【００７８】
ここで、第３の実施の形態に基づく、具体的な表示例について図を用いて説明する。図１０は、マークアップ言語で記述された提示画面の一例を示す図である。ここで、図１０は、図５で示したデータ放送におけるメニュー画面を示しており、図１０（ａ）は従来の色度・輝度データが従来のものであり、図１０（ｂ）は本発明において変更された図である。図１０（ａ）に示すように背景色と選択項目枠色では、色が類似であるため、特に弱視者にとっては、位置を正確に把握することが困難となってしまう。
【００７９】
ここで、文字情報を表すタグとその属性を＜文字：Ｒ，Ｇ，Ｂ，α＞、選択項目枠の色度を表すタグとその属性を＜選択項目枠：Ｒ，Ｇ，Ｂ、α＞、背景を表すタグとその属性を＜背景：Ｒ，Ｇ，Ｂ、α＞で表されるとする。文字の色や輝度レベルを可変するときには、文字抽出部７８によりタグ＜文字＞の属性が抽出され、弱視者のユーザがボリュームのつまみを回転することにより、前記色度・輝度データに置換する。同様に選択項目枠では選択枠抽出部８０により＜枠＞、背景では背景抽出部８２により＜背景＞の属性が抽出され、予め記述されたＸＭＬ等の属性データを変換する。
【００８０】
これにより、図１０（ｂ）に示すように背景色と選択項目枠色とが明確に区別できるよう設定することにより、見やすい画面に容易に設定することができる。また、図１０には示していないが、画面上の文字においても字体及び文字サイズ等を変更して提示させることができる。
【００８１】
また、ユーザはメニュー画面の選択項目の文字や選択枠、及び背景色のコントラストや色の組合せ等を自由に自分の好みに応じて設定でき見やすい画面で情報にアクセスすることが可能である。
【００８２】
次に、上述の実施の形態で示した本発明における調整操作部であるボリュームの配置構成例について図を用いて説明する。
【００８３】
図１１は、本発明における操作部の配置構成を示す一例の図である。なお、操作部にはボリュームを用い、ボリュームはデータ放送等の場合にはデータ放送受信機に付設され、ＰＣ等の場合には付属のアダプタにボリューム部分を構成し、コネクタ等によりＰＣのポート等に接続することで容易に設置することができる。また、図１１は、第３の実施の形態に対応した調整操作部が構成されている。
【００８４】
図１１（ａ）には、図６の提示装置６０の各調整操作部に対応したボリュームが設定されており、各ボリュームにて表示設定条件を調整することにより、上述した色、文字のボリューム値が夫々対応したデジタルロータリーエンコーダ９１により設定値を容易に取得することができる。なお、図１１（ａ）においては、提示装置６０の各調整操作部に対応させたボリューム装置を設置したが、本発明においては、この限りではなく、例えば、図１１（ｂ）に示すように調整操作内容に対応する選択ボタン群９２を有し、選択ボタン群９２により表示設定条件を調整したい項目の選択を行った後、ボリューム９３による調整操作を行うことで、調整操作部のスペースを取らずに設置することができる。
【００８５】
上述したように本発明によれば、画面上の枠、文字、又は背景における輝度又は色度を容易に調整するための可変抵抗器やロータリーエンコーダ等の機械的な操作部を有し、また、可変抵抗器の回転により設定される値やロータリーエンコーダの値に応じて輝度や色度が決定されるルックアップテーブルを有して、表示枠や文字及び背景の輝度や色度をユーザが所望する最適で見やすい表示に調整することで、効率的で容易に提示することを可能にする。
【００８６】
これにより、ＧＵＩ等で表示される選択オブジェクトや背景の色度や輝度が、容易な操作でユーザ個人に適応した最良な条件の設定で表示が可能となる。特に、弱視者等が選択オブジェクトを視覚的に認知しやすいよう、個人に適応した輝度やコントラスト、色度に変換して最良な画面の提示行うことができ、使用者に最適なＧＵＩ環境で情報を得ることができる。
【００８７】
以上本発明の好ましい実施例について詳述したが、本発明は係る特定の実施形態に限定されるものではなく、特許請求の範囲に記載された本発明の要旨の範囲内において、種々の変形、変更が可能である。
【００８８】
【発明の効果】
上述の如く本発明によれば、画面上の枠、文字、又は背景における輝度又は色度を容易に調整するための提示装置及び提示方法を提供することができる。
【図面の簡単な説明】
【図１】本発明における提示装置の第１の実施の形態の一構成例を示す図である。
【図２】画面表示部に表示される提示画面の一例を示すである。
【図３】本発明における色度・輝度用のルックアップテーブルの一例を示す図である。
【図４】本発明における第２の実施の形態の一構成例を示す例である。
【図５】マークアップ言語で記述された提示画面の一例を示す図である。
【図６】本発明における第３の実施の形態の一構成例を示す図である。
【図７】本発明における字体用のルックアップテーブルの一例を示す図である。
【図８】本発明における提示処理手順の一例のフローチャートを示す図である。
【図９】設定内容に対するデータ変換の様子を示す一例の図である。
【図１０】マークアップ言語で記述された提示画面の一例を示す図である。
【図１１】本発明におけるボリュームの配置構成を示す一例の図である。
【符号の説明】
１０，４０，６０  提示装置
１１，４１，７１  色度調整操作部
１２，４２，７２  色度エンコード部
１３，４３，７３  色度データ抽出部
１４，４４，７４  輝度調整操作部
１５，４５，７５  輝度エンコード部
１６，４６，７６  輝度データ抽出部
１７，４７，７７  色度・輝度データ変換部
１８，４８，８４  画面表示部
２０，５１  提示画面
４９  マークアップ言語表示出力データ作成部
５０  ブラウザ表示データ作成部
５２  映像表示領域
５３  選択項目領域
５４  決定ボタン
５５  戻りボタン
５６  背景領域
６１  字体調整操作部
６２  字体エンコード部
６３  字体データ抽出部
６４  文字サイズ調整操作部
６５  文字サイズコンコード部
６６  文字サイズデータ抽出部
６７  文字データ変換部
７８  文字抽出部
７９  文字表示データ変換部
８０  選択項目枠抽出部
８１  選択項目枠表示データ変換部
８２  背景抽出部
８３  背景表示データ変換部
９１  デジタルロータリーエンコーダ
９２  選択ボタン群
９３  ボリューム
【図１】
2004333689.tif 000003
【図２】
2004333689.tif 000004
【図３】
2004333689.tif 000005
【図４】
2004333689.tif 000006
【図５】
2004333689.tif 000007
【図６】
2004333689.tif 000008
【図７】
2004333689.tif 000009
【図８】
2004333689.tif 000010
【図９】
2004333689.tif 000011
【図１０】
2004333689.tif 000012
【図１１】
2004333689.tif 000013